(57)【要約】【課題】  構成な簡単によって雨水などの浸み込みを抑え、配管用保護部材などの耐久性の向上を図る。【解決手段】  第１及び第２の管体１，２の外周を管状の第１及び第２の配管用保護部材３，４で被覆し、各配管用保護部材の端末部３ａ，４ａの先端面からそれぞれ突出している第１及び第２の管体１，２の各端部１ａ，２ａ間をジョイント部材６で接続し、対向する第１及び第２の配管用保護部材の端末部３ａ，４ａ間の空間をカバー部材１１で覆い、第１及び第２の配管用保護部材の端末部３ａ，４ａに端末部を被覆する第１及び第２の保護キャップ７，８を嵌め込み、各保護キャップは第１及び第２の管体が挿入可能である挿入孔７ａ，８ａを開け、各挿入孔は第１及び第２の管体の外周面に密着可能である。【選択図】        図１
2008095917.tif 000002
【特許請求の範囲】
【請求項１】
複数の管体の各外周をそれぞれ被覆している管状の配管用保護部材と、
各配管用保護部材の端末部の先端面からそれぞれ突出している上記管体の各端部間を接続しているジョイント部材と、
上記各配管用保護部材の端末部間の空間を覆うカバー部材と
を備えており、
上記各配管用保護部材の各端末部には端末部をそれぞれ被覆する保護キャップを嵌め込んであり、
上記各保護キャップには上記各管体が挿入可能である挿入孔を開けてあり、
上記各保護キャップの挿入孔は、それぞれの挿入孔を挿通する管体の外周面に密着可能である
ことを特徴とする配管の接続部の保護装置。
【請求項２】
カバー部材の外側を覆う外保護カバーを備えていることを特徴とする請求項１記載の配管の接続部の保護装置。
【請求項３】
外保護カバーは、第１の保護キャップと第２の保護キャップとの間に跨って配置されていることを特徴とする請求項１または請求項２に記載の配管の接続部の保護装置。
【発明の詳細な説明】
【技術分野】
【０００１】
この発明は、建物内外における給水、給湯などのための配管の接続部の保護装置に関するものである。
【背景技術】
【０００２】
例えば特開２００３−２６９６５９号公報に記載の貯湯式給湯機において、公報図３に示すようにヒートポンプユニットで加熱した高温の温水を貯湯缶体内に貯めて、風呂の湯水として利用する技術が開示されている。また特開２００６−１２５６７９号公報に記載の給湯装置において、ヒートポンプにより水を沸かし、貯湯タンクに溜めた湯を風呂等の熱源とする技術が開示されている。
通常、ヒートポンプと貯留タンク（貯湯缶体又は貯湯タンク）とはいずれも室外に設置され、双方は給湯管によって互いに接続され、給湯管の外周面側は保護部材（断熱又は保温部材）によって被覆されている（実開平５−７９１９４号公報など）。
ところで、ヒートポンプの製造業者と貯留タンクの製造業者とは必ずしも同一ではないので、ヒートポンプに接続されている給湯管の径と、貯留タンクに接続されている給湯管の径とが一致していない場合があり、このような場合には、従来、図１３に示すような配管の接続構造を採用している例がある。すなわち、
図１３において、ヒートポンプに通じている第１の管体１０１と、貯留タンクに通じている第２の管体１０２との突合っている端部１０１ａ，１０２ａをジョイント部材１０６で接続するものである。ジョイント部材１０６の図１３左端側の開口部１０６ａ１が第１の管体１０１の端部１０１ａが嵌め込み可能の径を、右端側の開口部１０６ａ２が第２の管体１０２の端部１０２ａが嵌め込み可能の径を有しているものである。
第１及び第２の管体１０１，１０２はほぼ全長に亘って管状の第１及び第２の配管用保護部材１０３，１０４で被覆されている。そして、第１及び第２の配管用保護部材１０３，１０４の端末部１０３ａ，１０４ａからは第１及び第２の管体１０１，１０２の端部側が突出され、突出された端部１０１ａ，１０２ａがジョイント部材１０６内に差し込まれ、第１及び第２の配管用保護部材１０３，１０４は対向端部間が筒状のカバー部材１１１によって保護されている。
【特許文献１】特開２００３−２６９６５９号公報
【特許文献２】特開２００６−１２５６７９号公報
【特許文献３】実開平５−７９１９４号公報
【発明の開示】
【発明が解決しようとする課題】
【０００３】
図１３に示す接続構造の課題として、第１及び第２の配管用保護部材１０３，１０４の端末部１０３ａ，１０４ａの対向空間はカバー部材１１１によって覆われているものの、雨水がカバー部材の両端面から内部に浸入して、第１及び第２の配管用保護部材１０３，１０４の端末部１０３ａ，１０４ａの端面を流れて軸心の孔１０３ｂ，１０４ｂと第１及び第２の管体１０１，１０２の外周面との間に浸入してカビが発生し、保護部材などの耐久性を損なう問題があった。
この発明の目的は、構成な簡単によって雨水などの浸み込みを抑え、保護部材などの耐久性の向上を図ることにある。
【課題を解決するための手段】
【０００４】
この発明の第１の特徴は、複数の管体の各外周をそれぞれ被覆している管状の配管用保護部材と、各配管用保護部材の端末部の先端面からそれぞれ突出している上記管体の各端部間を接続しているジョイント部材と、上記各配管用保護部材の端末部間の空間を覆うカバー部材とを備えていることにある。上記各配管用保護部材の各端末部には端末部をそれぞれ被覆する保護キャップを嵌め込んであり、上記各保護キャップには上記各管体が挿入可能である挿入孔を開けてあり、上記各保護キャップの挿入孔は、それぞれの挿入孔を挿通する管体の外周面に密着可能である。
この発明の第２の特徴は、上記第１の特徴を前提とし、カバー部材の外側を覆う外保護カバーを備えていることにある。
この発明の第３の特徴は、上記第１又は第２の特徴を前提とし、外保護カバーが第１の保護キャップと第２の保護キャップとの間に跨って配置されていることにある。
【発明の効果】
【０００５】
この発明によれば、各管体の端末部に保護キャップを設けることによって、それぞれの管体の端末部の損傷を防止でき、そしてカバー部材内に雨水が浸入しても、各配管用保護部材の孔と上記管体の外周面との間に浸入することを抑え、カビなどの発生を抑え、配管用保護部材などの耐久性を確保することができ、簡単な構成によって配管の接続部の保護を図ることができる。
【発明を実施するための最良の形態】
【０００６】
この発明に係る第１の実施の形態について図１〜図１１を参照して説明する。
図１及び図２に示す配管の接続部の保護装置において、基端部側（図左端部側）がヒートポンプなどに通じている第１の管体１と、また基端部側（図右端部側）が貯留タンクなどに通じている第２の管体２とは、いずれも外周面が第１及び第２の配管用保護部材３，４によって被覆されている。第１及び第２の配管用保護部材３，４は、発泡プラスチック部材によって軸心に孔３ｂ，４ｂを有する管状に成形されており、第１及び第２の管体１，２をほぼ全長に亘って覆っている。第１及び第２の配管用保護部材３，４は、第１及び第２の管体１，２が給湯管であれば保温パイプとしても機能し、また給水管であれば断熱パイプとしても機能している。
第１及び第２の管体１，２の先端部側は第１及び第２の配管用保護部材３，４の端末部３ａ，４ａの先端面からそれぞれ突出されている。第１及び第２の管体１，２の突出された端部１ａ，２ａの突合せ端部間はジョイント部材６によって接続されている。
図２に示すようにジョイント部材６は内部に筒状の連結部材６ｂを設けてある。ジョイント部材６の一端側（図２左端側）の開口部６ａ１と連結部材６ｂの一端外周の間に第１の管体１の端部１ａが嵌め込まれており、他端側の開口部６ａ２と連結部材の一端外周の間に第２の管体２の端部２ａが嵌め込まれており、第１の管体と第２の管体とがジョイント部材を介して一本の通路を形成している。
【０００７】
図１及び図２において、第１の管体１及び第２の管体２における端部１ａ，２ａを接続するための空間１２が保護手段である第１及び第２の保護キャップ７，８、外保護カバー１０及びカバー部材１１によって保護されている。
各保護キャップ７，８は第１及び第２の配管用保護部材３，４の端末部３ａ，４ａを保護するために、各端末部に嵌め込まれている。各保護キャップ７，８の材質としてプラスチックなどを用いるが、省資源や環境保護に寄与する見地から再生プラスチックを使用するのが良い。保護キャップ７，８はその内径が配管用保護部材３，４の端末部３ａ，４ａの外径より幾分短く設定されており、上記各端末部が圧入状態に差し込まれている（図２及び図３）。このために、保護キャップ７，８は各配管用保護部材３，４の端末部３ａ，４ａから容易に離脱しない。
また保護キャップ７，８は図４〜図６に示すようにその側壁に第１の管体１及び第２の管体２を通すための挿入孔７ａ，８ａを開けてある。第１の保護キャップ７の挿入孔７ａは第１の管体１の径に、第２の保護キャップ８の挿入孔８ａは第２の管体２の径に対応している。挿入孔７ａ，８ａは挿入される第１の管体１及び第２の管体２の外周面が密着可能である。密着させることにより、雨水などが保護キャップ７，８の挿入孔７ａ，８ａの内面と第１の管体１及び第２の管体２の外周面との間の隙間から浸み込んで、保護キャップ内へ浸入することを抑制することができる。
【０００８】
カバー部材１１は、図１に示すように第１及び第２の各配管用保護部材３，４の端末部３ａ，４ａ間の空間を覆っている。カバー部材１１は、第１及び第２の管体１，２の各端部１ａ，２ａが差し込まれているジョイント部材６の外側を覆い、図示していないテープなどによって固定されている。カバー部材１１は、図７及び図８に示すように第１及び第２の配管用保護部材３，４と同一部材を用い、内部に孔１１ａを有する筒状に成形されている。カバー部材１１は長さ方向に割り溝１１ｂを設けて、この割り溝を中心として外側に開くことができる。
【０００９】
図９〜図１１に示す外保護カバー１０はプラスチックによって成形されている。外保護カバー１０は長さ方向にヒンジ部１０ａを設けてあり、このヒンジ部の両側が半円形状のカバー部１０ｂ，１０ｃとなっている。外保護カバー１０は使用時（図１０）にヒンジ部１０ａを中心としてカバー部１０ｂ，１０ｃを閉じることによって筒状になり、また不使用時（図１１）にヒンジ部１０ａを中心としてカバー部１０ｂ，１０ｃを開放することによってほぼＭ形になるように成形されている。外保護カバー１０において、カバー部１０ｂ，１０ｃの互いに接合する自由端側には、両カバー部を結合するための係止部１０ｄと被係止部１０ｅを設けてある。係止部１０ｄは一方のカバー部１０ｂ側に設けてあって、内部に係止孔１０ｄ１を形成している。被係止部１０ｅは他方のカバー部１０ｃ側に設けてあって、先端に係止爪１０ｅ１を有する突片状に形成されている。被係止部１０ｅは係止部１０ｄの係止孔１０ｄ１内に差し込み可能である。被係止部１０ｅは係止孔１０ｄ１に差し込まれている状態では係止爪１０ｅ１が係止孔１０ｄ１の縁に係止されるために、カバー部１０ｂ，１０ｃは互いに結合され、筒状になって外保護カバー１０が使用状態になる。
外保護カバー１０は、図１及び図３に示すように第１及び第２の配管用保護部材３，４の端末部３ａ，４ａの対向間の空間を覆うことができ、図示の例ではカバー部材１１の全体を被覆すると共に、その長さが対向して位置している保護キャップ７，８に亘るものに設定され、図示の例では保護キャップ全体を覆っている。
【００１０】
第１の管体１及び第２の管体２の接続部の保護方法について説明する。
まず、第１の配管用保護部材３の端末部３ａに第１の保護キャップ７を、第２の配管用保護部材４の端末部４ａに第２の保護キャップ８を被せて、各保護キャップによって第１及び第２の配管用保護部材の各端末部を保護する。
ついで、第１の管体１の端部１ａを第１の保護キャップ７の挿入孔７ａに押し込んで、第１の管体を第１の配管用保護部材３の孔３ｂ内に通し、同様にして第２の管体２の端部２ａを第２の保護キャップ８の挿入孔８ａに押し込んで、第２の管体を第２の配管用保護部材４の孔４ｂ内に通し、第１及び第２の保護キャップ７，８の側壁から第１及び第２の管体１，２の端部を突出させる。
その後、図２に示すように第１の管体１の端部１ａと、第２の管体２の端部２ａとをジョイント部材６によって接続する。
接続後、カバー部材１１を第１の配管用保護部材３の端末部３ａと第２の配管用保護部材４の端末部４ａとの間の接続部の空間１２（図２）に配置し、このカバー部材を固定してから、図１に示すように、カバー部材の外側及び保護キャップ７，８を囲むように外保護カバー１０で覆って、係止部１０ｄと被係止部１０ｅとを用いてカバー部１０ｂ，１０ｃ間を結合する。
【００１１】
図示する配管の接続部の保護装置によれば、第１及び第２の配管用保護部材の端末部３ａ，４ａに第１及び第２の保護キャップ７，８を嵌め込むことにより、配管用保護部材の端末部の損傷を防止でき、そして雨水などがカバー部材１１内に浸入しても、第１及び第２の配管用保護部材の孔３ｂ，４ｂの内周面と第１及び第２の管体１，２の外周面との間に雨水などが浸み込んで、各保護キャップ内へ浸入しにくくし、カビなどの発生を抑え、配管用保護部材などの耐久性向上を図ることができ、また上記端末部の納まりが良くなると共に接続部の仕上がりをきれいにすることができ、さらに簡単な構成と低コストによって目的を達成することができる。また保護手段として、第１及び第２の保護キャップ７，８及びカバー部材１１の他に、外保護カバー１０を使用することによって接続部の保護が強化されると共に、雨水の浸入を抑制することができ、さらに第１及び第２の管体１，２が給湯管や給水管のような場合には保温又は断熱の効果が高められる。
【００１２】
図１では、配管の接続タイプは直線型であったが、そのタイプはこの例に限定されず、Ｔ型や十字型などであっても良い。
図１２に示す配管の接続部の保護装置においては、第１の管体１と第２の管体２とが対向され、これらの管体と交差するように第３の管体１３が配置され、いずれもＴ形のジョイント部材６Ａによって第１乃至第３の管体の端部が連通状態に結合されている。第１乃至第３の管体１，２，１３を被覆している配管用保護部材３，４，５の各端末部３ａ，４ａ，５ａには第１乃至第３の保護キャップ７，８，９が嵌め込まれている。
配管用保護部材５は配管用保護部材３，４と実質的に同一構成であり、また第３の保護キャップ９は保護キャップ７，８と実質的に同一の構成である。
配管用保護部材３，４，５の各端末部間の空間１２Ａは、カバー部材（図示せず。）及び保護キャップ７，８，９を平面形状がＴ形の外保護カバー１０Ａによって被覆され、保護されている。
【００１３】
第１乃至第３の管体１，２，１３は給湯管や給水管に限られない。
第１乃至第３の保護キャップ７，８，９に関して、相互間において、管径に大きな差がない場合には同一の保護キャップを使用しても良い。また外保護カバー１０及びカバー部材１１の構成は図示されているものに限定されない。外保護カバー１０は、第１の保護キャップ７と第２の保護キャップ８との間に跨って配置され、図１に示す例では第１及び第２の保護キャップ７，８全体を被覆し、また外保護カバー１０Ａは、第１の保護キャップ７、第２の保護キャップ８及び第３の保護キャップ９の間に跨って配置され、図１２に示す例では第１乃至第３の保護キャップ７，８，９全体を被覆しているが、必ずしも全体を覆うことを要しない。
また外保護カバー１０のカバー部１０ｂ，１０ｃの結合手段は上例の係止部１０ｄ及び被係止部１０ｅに限られず、例えば一方の係止部を凹部に形成し、他方に被係止部を凹部に掛け止めることができる爪部に形成しても良く、その構成は適宜である。
【図面の簡単な説明】
【００１４】
【図１】この発明の第１の実施の形態に係る配管の接続部の保護装置の一部切欠正面図である。
【図２】この発明の第１の実施の形態に係る配管の接続部の保護装置の断面図であって、カバー部材及び外保護カバーを省略している図である。
【図３】図１のＩＩＩ−ＩＩＩ線断面図である。
【図４】図２のＩＶ−ＩＶ線断面図である。
【図５】この発明の第１の実施の形態に係る配管の接続部の保護装置における第１の保護キャップの側面図である。
【図６】この発明の第１の実施の形態に係る配管の接続部の保護装置における第１及び第２の保護キャップの断面図である。
【図７】この発明の第１の実施の形態に係る配管の接続部の保護装置におけるカバー部材の正面図である。
【図８】図７の右側面図である。
【図９】この発明の第１の実施の形態に係る配管の接続部の保護装置における外保護カバーの底面図である。
【図１０】この発明の第１の実施の形態に係る配管の接続部の保護装置における外保護カバーの側面図である。
【図１１】この発明の第１の実施の形態に係る配管の接続部の保護装置における外保護カバーを開いた状態を示す側面図である。
【図１２】この発明の第２の実施の形態に係る配管の接続部の保護装置を縮小して示す平面図である。
【図１３】従来の配管の接続部の保護装置の一部切欠正面図である。
【符号の説明】
【００１５】
１                    第１の管体（管体）
１ａ                  第１の管体の端部（管体の端部）
２                    第２の管体（管体）
２ａ                  第２の管体の端部（管体の端部）
３                    第１の配管用保護部材（配管用保護部材）
３ａ                  第１の配管用保護部材の端末部（配管用保護部材の端末部）
３ｂ                  第１の配管用保護部材の孔
４                    第２の配管用保護部材（配管用保護部材）
４ａ                  第２の配管用保護部材の端末部（配管用保護部材の端末部）
４ｂ                  第２の配管用保護部材の孔
５                    第３の配管用保護部材（配管用保護部材）
５ａ                  第３の配管用保護部材の端末部（配管用保護部材の端末部）
６，６Ａ              ジョイント部材
７                    第１の保護キャップ
７ａ                  挿入孔
８                    第２の保護キャップ
８ａ                  挿入孔
９                    第３の保護キャップ
１０                  外保護カバー
１１                  カバー部材
１２，１２Ａ          空間
１３                  第３の管体
【図１】
2008095917.tif 000003
【図２】
2008095917.tif 000004
【図３】
2008095917.tif 000005
【図４】
2008095917.tif 000006
【図５】
2008095917.tif 000007
【図６】
2008095917.tif 000008
【図７】
2008095917.tif 000009
【図８】
2008095917.tif 000010
【図９】
2008095917.tif 000011
【図１０】
2008095917.tif 000012
【図１１】
2008095917.tif 000013
【図１２】
2008095917.tif 000014
【図１３】
2008095917.tif 000015